(57)【要約】      （修正有）【課題】保管し易いうえに、商品の種類や設置場所に応じて占有空間及び陳列面積を自在に変更することができ、様々な売り場に合う汎用性の高い商品陳列用什器を提供すること。【解決手段】折り畳み可能な支持脚１と、展開した支持脚１の上部に着脱自在な商品載置用の天板２とを夫々複数備えると共に、折り畳んだ支持脚１及び天板２を収容する筐体３を備え、支持脚１が、多角形の筒状体であり且つ扁平状に折り畳み自在である商品陳列用什器Ａとし、保管し易いうえに、商品の種類や設置場所に応じて占有空間及び陳列面積を自在に変更することを可能にし、様々な売り場に合う汎用性の高いものにした。【選択図】図１
2017000418.tif 000002
【特許請求の範囲】
【請求項１】
折り畳み可能な支持脚と、展開した支持脚の上部に着脱自在な商品載置用の天板とを夫々複数備えると共に、折り畳んだ支持脚及び天板を収容する筐体を備え、
支持脚が、多角形の筒状体であり且つ扁平状に折り畳み自在であることを特徴とする商品陳列用什器。
【請求項２】
複数の支持脚が、平面視における面積を異ならせた少なくとも二種類の支持脚であり、
複数の天板が、平面視における面積を異ならせた少なくとも二種類の天板であることを特徴とする請求項１に記載の商品陳列用什器。
【請求項３】
筐体が、上面、下面、左右側面、及び背面を有する直方体状であり且つ上面が商品載置用の天板として形成してあることを特徴とする請求項１又は２に記載の商品陳列用什器。
【請求項４】
支持脚、天板及び筐体のうちの少なくとも一つが、段ボール製であることを特徴とする請求項１〜３のいずれか１項に記載の商品陳列用什器。
【発明の詳細な説明】
【技術分野】
【０００１】
本発明は、例えば、店舗において商品を陳列するのに用いられる商品陳列用什器に関するものである。
【背景技術】
【０００２】
従来の商品陳列用什器としては、商品陳列台の名称で、特許文献１や特許文献２に記載されているものがある。特許文献１に記載の商品陳列台は、左右両側面、正面及び背面を有する基礎箱部と、基礎箱部の上縁に折り曲げ可能に接続された断面略Ｖ字状の陳列箱部とを備えている。この商品陳列台は、陳列箱部を上方に回動させて基礎箱部の上部に斜めに固定し、その陳列箱部内に自立し難い商品を陳列するものであり、不使用時には扁平状に折り畳むことができる。
【０００３】
また、特許文献２に記載の商品陳列台は、内側に芯材を一体的に有する角筒状の陳列台本体と、陳列台本体の芯材に上側から嵌合する芯材固定板と、陳列台本体の上部に嵌合して芯材固定板により下面が保持される商品陳列板とを備えた構成である。
【０００４】
上記の特許文献１及び２に記載された商品陳列台は、店舗における陳列用の棚、台及びケース等といった既存什器とは別に、新商品、特売品又は推奨品などの陳列や、既存什器の補助として使用される場合が多く、その材料には一例として段ボールが用いられる。このような商品陳列台は、いわゆるＰＯＰ用品の一つとして、特定の商品の陳列及び宣伝広告に使用されていることも周知である。
【先行技術文献】
【特許文献】
【０００５】
【特許文献１】特開２００２−７８５８３号公報
【特許文献２】実用新案登録第３１５２６１３号公報
【発明の概要】
【発明が解決しようとする課題】
【０００６】
しかしながら、上記したような従来の商品陳列用什器（商品陳列台）にあっては、いずれも一定の占有空間及び一定の陳列面積を有するものであるから、商品の種類や設置場所が制限され易いという問題点があった。
【０００７】
本発明は、上記従来の状況に鑑みて成されたもので、保管し易いうえに、商品の種類や設置場所に応じて占有空間及び陳列面積を自在に変更することができ、様々な売り場に合う汎用性の高い商品陳列用什器を提供することを目的としている。
【課題を解決するための手段】
【０００８】
本発明に係わる商品陳列用什器は、折り畳み可能な支持脚と、展開した支持脚の上部に着脱自在な商品載置用の天板とを複数備えると共に、折り畳んだ支持脚及び天板を収容する筐体を備え、支持脚が、多角形の筒状体であり且つ扁平状に折り畳み自在であることを特徴としている。
【発明の効果】
【０００９】
本発明に係わる商品陳列用什器は、複数の支持脚と複数の天板が一つの筐体に収容されているので、保管時の占有空間は筐体に相当する分のみであり、筐体だけでの商品の陳列も可能である。そして、商品陳列用什器は、商品の種類や設置場所などに応じて、筐体から適数の支持脚及び天板を取り出し、展開した支持脚に天板を装着して、その天板に商品を陳列する。このように、商品陳列用什器は、保管し易いうえに、商品の種類や設置場所に応じて占有空間及び陳列面積を自在に変更することができるので、様々な売り場に合う汎用性の高いものとなる。
【図面の簡単な説明】
【００１０】
【図１】本発明に係わる商品陳列用什器の第１実施形態を説明する図であって、筐体に支持脚及び天板を収容した状態を示す平面図（Ａ）、正面図（Ｂ）、及び側面図（Ｃ）である。
【図２】第１の支持脚及び天板を説明する平面図（Ａ）、正面図（Ｂ）、支持脚の平面図（Ｃ）、及び側面図（Ｄ）である。
【図３】第２の支持脚及び天板を説明する平面図（Ａ）、正面図（Ｂ）、支持脚の平面図（Ｃ）、及び側面図（Ｄ）である。
【図４】筐体、及び天板を装着した支持脚の配置例を示す（Ａ）、及び正面図（Ｂ）である。
【図５】本発明に係わる商品陳列用什器の第２〜第４の実施形態を説明する図であって、において、正面カバーを備えた構成を示す平面図（Ａ）及び正面図（Ｂ）、別の正面カバーを備えた構成を示す平面図（Ｃ）及び正面図（Ｄ）、並びに仕切板を備えた筐体の平面図（Ｅ）及び正面図（Ｆ）である。
【図６】本発明に係わる商品陳列用什器の第５実施形態を説明する図であって、補助脚の正面図（Ａ）、平面図（Ｂ）、側面図（Ｃ）、折り畳む状態を示す平面図（Ｄ）、及び設置例を示す正面図（Ｅ）である。
【図７】本発明に係わる商品陳列用什器の第６〜第９の実施形態を説明する図であって、連結具を備えた構成を示す平面図（Ａ）及び正面図（Ｂ）、クリップを備えた構成を示す正面図（Ｃ）、ポケットを備えた構成を示す正面図（Ｄ）、並びにシートを備えた構成を示す正面図（Ｅ）である。
【発明を実施するための形態】
【００１１】
〈第１実施形態〉
図１〜図４は、本発明に係わる商品陳列用什器の第１実施形態を説明する図である。なお、以下の説明における『正面』、『背面』及び『側面』は、各部品の構成を理解し易くするためのものであって、各部品の方向性を限定するものではなく、配置する際の向きは自由である。
【００１２】
図１に示す商品陳列用什器Ａは、折り畳み可能な支持脚１と、展開した支持脚１の上部に着脱自在な商品載置用の天板２とを夫々複数備えると共に、折り畳んだ支持脚１及び天板２を収容する筐体３を備えている。そして、商品陳列用什器Ａは、支持脚１が、多角形の筒状体であり且つ扁平状に折り畳み自在である。
【００１３】
また、商品陳列用什器Ａは、複数の支持脚１が、平面視における面積を異ならせた少なくとも二種類の支持脚１１，１２であると共に、複数の天板２が、平面視における面積を異ならせた少なくとも二種類の天板２１，２２である。なお、二種類以上にすることも当然可能である。
【００１４】
この実施形態の商品陳列用什器Ａは、平面視における面積が相対的に大きい第１支持脚１１と、同面積が相対的に小さい第２支持脚１２とを夫々３個ずつで、合計６個の支持脚１（１１，１２）を備えている。また、商品陳列用什器Ａは、平面視における面積が相対的に大きい第１天板２１と、同面積が相対的に小さい第２天板２２とを夫々３個ずつで、合計６個の天板２（２１，２２）を備えている。
【００１５】
第１支持脚１１は、図２に示すように、正面部１１Ａ、背面部１１Ｂ及び左右の側面部１１Ｃを有する角型の筒状体である。正面部１１Ａ、背面部１１Ｂ及び側面部１１Ｃは、互いに折り曲げ自在に連結してある。また、正面部１１Ａ及び背面部１１Ｂは、夫々の中央に、高さ方向全長にわたる谷折り部Ｖを有している。これにより、第１支持脚１１は、図２（Ｃ）中に点線で示すように、正面部１１Ａ及び背面部１１Ｂを谷折り部Ｖで内側に折るようにして、扁平状に折り畳み自在であり、なお且つ展開も自在である。
【００１６】
上記の第１支持脚１１は、左右の側面部１１Ｃの幅寸法Ｗ１が、一平面状態（谷折り部Ｖを折らない状態）の正面部１１Ａ及び背面部１１Ｂの夫々の幅寸法Ｗ２よりも小さい。この第１支持脚１１の側面部１１Ｃの幅寸法Ｗ１及び高さ寸法Ｈは、後記する第２支持脚１２、第１及び第２の天板２１，２２、及び筐体３に関連する基準寸法になっている。また、第１支持脚１１は、左右の側面部１１Ｃの上端に、所定の長さにわたる連結用リブ４を有している。
【００１７】
第２支持脚１２は、第１支持脚１１と同等の構成であり、図３に示すように、正面部１２Ａ、背面部１２Ｂ及び左右の側面部１２Ｃを有する角型の筒状体である。正面部１２Ａ、背面部１２Ｂ及び側面部１２Ｃは、互いに折り曲げ自在に連結してあり、正面部１２Ａ及び背面部１２Ｂの中央に谷折り部Ｖを有している。これにより、第２支持脚１２は、図３（Ｃ）中に点線で示すように、正面部１２Ａ及び背面部１２Ｂを谷折り部Ｖで内側に折るようにして、扁平状に折り畳み自在であり、なお且つ展開も自在である。
【００１８】
上記の第２支持脚１２は、左右の側面部１２Ｃの幅寸法Ｗ３が、一平面状態（谷折り部Ｖを折らない状態）の正面部１２Ａ及び背面部１２Ｂの夫々の幅寸法Ｗ４よりも大きく、且つ第１支持脚１１の側面部１１Ｃの幅寸法Ｗ１（図２参照）と等しい（Ｗ２＞［Ｗ１＝Ｗ３］＞Ｗ４）。また、第２支持脚１２は、第１支持脚１１の高さ寸法Ｈと等しい高さ寸法Ｈを有すると共に、側面部１２Ｃの上端に、第１支持脚１１の連結用リブ４（図２参照）と同様の連結用リブ４を有している。
【００１９】
第１天板２１は、図２に示すように、周囲に枠部５を有する正方形状を成しており、一辺の長さ寸法Ｗａが、第１支持脚１１の側面部１１Ｃの幅寸法Ｗ１に対応し、同幅寸法Ｗ１よりも若干大きいものとなっている。また、第１天板２１は、枠部５の底部において、２組の対向辺のうちの少なくとも一方の組に、前記連結用リブ４に対応する連結用スリット６が設けてある。なお、第１天板２１は、底面の縁部全周に、展開した第１支持脚１１の上端外周に嵌合する枠部を設けることも有効であり、これにより第１支持脚１１の展開状態をより確実に保持し得る。
【００２０】
第２天板２２は、図３に示すように、周囲に枠部５を有する長方形状を成しており、長辺の長さ寸法Ｗｂが、第１天板２１の一辺の長さ寸法Ｗａ（図２参照）に等しく、短辺の長さ寸法Ｗｃが、長辺の長さ寸法Ｗｂのほぼ半分である（［Ｗａ＝Ｗｂ］＞Ｗｃ）。また、第２天板２２は、枠部５の底部における長辺の部分に、前記連結用リブ４に対応する連結用スリット６が設けてある。なお、第２天板２２は、第１天板２１と同様に、底面の縁部全周に、展開した第２支持脚１２の上端外周に嵌合する枠部を設けることも有効であり、これにより第２支持脚１２の展開状態をより確実に保持し得る。
【００２１】
ここで、先述したように、第１支持脚１１の側面部１１Ｃの幅寸法Ｗ１は、一平面状態の正面部１１Ａ及び背面部１１Ｂの幅寸法Ｗ２よりも小さく、正方形状である第１天板２１の一辺の長さ寸法Ｗａに対応している。したがって、第１天板２１の一辺の長さ寸法Ｗａは、第１支持脚１１の正面部１１Ａ及び背面部１１Ｂの幅寸法（一平面状態の幅寸法）Ｗ２よりも明らかに小さい。
【００２２】
また、第２支持脚２１の側面部１２Ｃの幅寸法Ｗ３は、一平面状態の正面部１２Ａ及び背面部１２Ｂの幅寸法Ｗ４よりも大きく、長方形状である第２天板２１の長辺の長さ寸法Ｗｂに対応している。したがって、第２天板２２の短辺の長さ寸法Ｗｃは、第２支持脚２２の正面部２２Ａ及び背面部２２Ｂの幅寸法（一平面状態の幅寸法）Ｗ２よりも明らかに小さい。
【００２３】
さらに、第１及び第２の天板２１，２２は、いずれも同等の厚さ寸法Ｔを有し、第１天板２１の一辺の長さ寸法Ｗａと、第２天板２２の短辺の長さ寸法Ｗｃとの和が、第１及び第２の支持脚１１，１２の高さ寸法Ｈにほぼ等しい（Ｗａ＋Ｗｂ?Ｈ）。
【００２４】
筐体３は、上面、下面、左右側面、及び背面を有する直方体状、換言すれば正面を開放させた直方体状であり、且つ上面が商品載置用の天板３Ａとして形成してある。図示の筐体３は、平面視において正方形状を成すと共に、上面の周囲に枠部７を有し、これにより上面を商品載置用の天板３Ａに形成している。
【００２５】
また、筐体３は、その内部が、支持脚１（１１，１２）の高さ寸法Ｈよりもやや大きい高さ寸法と、第１支持脚１１の側面部１１Ｃの幅寸法Ｗ２よりもやや大きい奥行き寸法とを有すると共に、折り畳んだ支持脚１の６個分の厚さ寸法と、天板２（２１，２２）の３個分の厚さ寸法との和よりもやや大きい幅寸法を有している。
【００２６】
上記の商品陳列用什器Ａは、支持脚１（１１，１２）、天板２（２１，２２）及び筐体３のうちの少なくとも一つが、紙及び／又はプラスチックの段ボール製であって、これにより、比較的安価で軽量なものとなる。また、商品陳列用什器Ａは、より望ましくは、支持脚１、天板２及び筐体３の全てを段ボール製とすれば、比較的安価で軽量である効果を充分に発揮すると共に、持ち運びやリサイクルにも容易に対処することができる。
【００２７】
上記の商品陳列用什器Ａは、図１に示すように、筐体３の内部の一方側（右側）に、折り畳んだ６個の支持脚１を収容し、筐体３の内部の他方側に、各々３個である第１及び第２の天板２１，２２を上下に収容する。支持脚１と天板２の収容位置は、図示例と逆でも構わない。
【００２８】
この際、商品陳列用什器Ａは、支持脚１の諸寸法Ｗ１〜Ｗ４，Ｈ、天板２の諸寸法Ｗａ〜Ｗｃ，Ｔ、及び筐体３の内部寸法を上述した如く設定したので、筐体３内に、全ての支持脚１及び天板２を整然とコンパクトに収容することができる。また、上記の寸法設定により、筐体３内の隙間を最小限にし得るので、搬送時における部品の偏りやがたつきを防止することができ、部品の損傷も防ぐことができる。
【００２９】
上記の商品陳列用什器は、複数の支持脚１と複数の天板２が一つの筐体３に収容されているので、保管時の占有空間は筐体３に相当する分（体積分）のみであり、筐体３だけで商品を陳列することも可能である。なお、この実施形態では、筐体３の上面が、枠部７を有する天板３Ａとして形成してあるので、筐体３だけで商品を陳列し得るものであり、後記するように、筐体３と支持脚１及び天板２とを組み合わせて用いることができる。
【００３０】
そして、商品陳列用什器Ａは、商品の種類や設置場所などに応じて、筐体３から必要な数の支持脚１及び天板２を取り出し、展開した支持脚１に天板２を装着して、その天板２に商品を陳列する。より具体的には、図２に示すように、展開させた第１支持脚１１の連結用リブ４に第１天板２１の連結用スリット６を係合し、図３に示すように、展開させた第２支持脚２１の連結用リブ４に第２天板２２のスリット６を係合する。このように、支持脚１と天板２は、極めて簡単に組み立てることができる。
【００３１】
このとき、商品陳列用什器Ａは、第１天板２１の一辺の長さ寸法Ｗａが、第１支持脚１１の正面部１１Ａ及び背面部１１Ｂの幅寸法（一平面状態での幅寸法）Ｗ２よりも明らかに小さいので、第１支持脚１１は、図２に示すように、正面部１１Ａ及び背面部１１Ｂが一平面にはならず、谷折り部Ｖで折れ曲がった状態に維持される。これにより、第１天板２１を装着した第１支持脚１１は、６面から成る筒状体となり、下端の６辺で自立することで安定性がより高いものとなる。
【００３２】
また、第２支持脚１２にあっても、正面部２２Ａ及び背面部２２Ｂの幅寸法（一平面状態での幅寸法）Ｗ２よりも、第２天板２２の短辺の長さ寸法Ｗｃが明らかに小さいので、図３に示すように、正面部１２Ａ及び背面部１２Ｂが一平面にはならず、谷折り部Ｖで折れ曲がった状態に維持される。これにより、第２天板２２を装着した第２支持脚１２は、第１支持脚１１と同様に、６面から成る筒状体となり、下端の６辺で自立することで安定性がより高いものとなる。
【００３３】
図４は、筐体３、及び天板２を装着した支持脚１の配置例を示す図であり、筐体３と、２組の第１支持脚１１及び第１天板２１と、２組の第２支持脚１２及び第２天板２２とを直列配置している。この際、筐体３は、側面若しくは背面を配列の正面側にすれば、内部が見えなくなって外観体裁も良好である。
【００３４】
商品陳列用什器Ａは、支持脚１の諸寸法Ｗ１〜Ｗ４及びＨ、並びに天板２の諸寸法Ｗａ〜Ｗｃ及びＴを上述した如く設定したので、配列の正面が略同一面状に揃う。この際、第２天板２１は、平面視で正方形状であるから、図４（Ａ）中の右側に示す第１支持脚１１のように、側面部１１Ｃを正面側にしても配置の正面を揃えることができる。また、２組の第２支持脚１２及び第２天板２２は、図示の状態から９０度回転させても、配列の正面を揃えることができる。さらに、第２天板２２は、第２支持脚１２だけでなく、第１支持脚１１に装着することも可能である。
【００３５】
上記の筐体３、及び天板２を装着した支持脚１の配置は、図示例以外に非常に多くの組み合わせがあることは言うまでもなく、売り場の状況等に応じて数や配置を適宜選択すれば良い。また、商品陳列用什器Ａは、必ずしも筐体３や支持脚１を配列させて用いるものではなく、それらを個別に使用することができるので、店舗における棚、台及びケース等の既存什器の隙間などに配置して、売り場面積の有効利用を図ることができる。さらに、支持脚１と天板２を分解することも極めて容易であり、不使用時には、支持脚１を扁平状に折り畳んで、天板２とともに筐体３に収容しておけば良い。
【００３６】
このように、商品陳列用什器Ａは、保管し易いうえに、組み合わせのバリエーションが豊富であり、商品の種類や設置場所に応じて占有空間及び陳列面積を自在に変更することができるので、様々な売り場に合う汎用性の高いものとなる。
【００３７】
図５〜図７は、本発明に係わる商品陳列用什器の第２〜第９の実施形態を説明する図である。なお、以下の各実施形態において、第１実施形態と同一の構成部位は、同一符号を付して詳細な説明を省略する。
【００３８】
〈第２実施形態〉
図５（Ａ）及び（Ｂ）に示す商品陳列用什器Ａは、筐体３の正面において、支持脚１の収容空間に対応する正面カバー３０を備えている。正面カバー３０は、一例として、紙及び／又はプラスチックの段ボール製であり、正面部３０Ａの両側に、筐体３への差し込み部３０Ｂ，３０Ｂを有し、正面部３０Ｂの上部中央には、引き出し用の切欠部３０Ｃが形成してある。この商品陳列用什器Ａは、筐体３において、正面カバー３０により、収容した支持脚１を覆い隠して良好な外観体裁を得ることができるうえに、重力方向に対する筐体３の補強機能も得ることができる。
【００３９】
〈第３実施形態〉
図５（Ｃ）及び（Ｄ）に示す商品陳列用什器Ａは、筐体３の正面において、収容空間全体に対応する正面カバー３１を備えている。正面カバー３１は、一例として、紙及び／又はプラスチックの段ボール製であり、正面部３１Ａの両側に、筐体３への差し込み部３１Ｂ，３１Ｂを有し、正面部３１Ｂの上部中央には、引き出し用の切欠部３１Ｃが形成してある。この商品陳列用什器Ａは、筐体３において、正面カバー３１により、収容した支持脚１及び天板２を覆い隠して、より一層良好な外観体裁を得ることができるうえに、重力方向に対する筐体３の補強機能も得ることができる。
【００４０】
〈第４実施形態〉
図５（Ｅ）及び（Ｆ）に示す商品陳列用什器Ａは、筐体３の内部に、支持脚１の収容空間３３Ａと、天板２の収容空間３３Ｂとを左右に区画する仕切板３４を備えている。仕切板３４は、一例として、紙及び／又はプラスチックの段ボール製である。この商品陳列用什器Ａは、仕切板３４により、支持脚１及び天板２の夫々の収容性が向上すると共に、重量方向に対する筐体３の補強機能も得ることができ、第２及び第３実施形態の正面カバー３０，３１と組み合わせた構成にすることも有効である。
【００４１】
〈第５実施形態〉
図６に示す商品陳列用什器Ａは、補助脚３５を備えている。図示例の補助脚３５は、背面部３５Ａと、左右の側面部３５Ｂ，３５Ｂとを互いに折り曲げ自在に連結したものであり、一例として、紙及び／又はプラスチックの段ボール製である。また、補助脚３５は、背面部３５Ａ及び側面部３５Ｂの幅及び高さの寸法が、正方形状を成す第１天板２１の枠部５の内法寸法よりも若干小さいものとなっており、左右の側面部３５Ｂの上端に、天板２の連結用スリット（図２及び図３参照）に対する連結用リブ３５Ｃを有している。
【００４２】
上記の商品陳列用什器Ａにおける補助脚３５は、図６（Ｄ）に示すように、背面部３５Ａに左右の側面部３５Ｂ，３５Ｂを重ねるように折り畳んだ状態で、第１天板２１の枠部５の内側に収容することができ、第１天板２１とともに筐体３に収容し得る。
【００４３】
また、補助脚３５は、図６（Ｅ）に示すように、第１支持脚１１の第１天板２１上に載置され、連結用リブ３５Ｃを別の第１天板２１の連結用スリットに係合させた状態にすることで、上下二段の陳列棚を形成する。このように、補助脚３５を備えた商品陳列用什器Ａは、組み合わせのバリエーションをさらに増加させることができる。
【００４４】
〈第６実施形態〉
図７（Ａ）及び（Ｂ）に示す商品陳列用什器Ａは、連結具３６を備えている。図示例の連結具３６は、形材状の部品であって、下向きに開放された断面形状を有しており、一例としてプラスチック製である。この連結具３６は、支持脚１（１１）に装着した天板２（２１）の枠部５と、別の支持脚１（１２）に装着した天板２（２２）の枠部５とに跨がるように装着し、直接的には天板同士を連結し、間接的に支持脚同士をも連結する。この連結具３６を備えた商品陳列用什器Ａは、自立させた複数の支持脚１を連結することにより、全体の安定性をより一層高めることができる。
【００４５】
〈第７実施形態〉
図７（Ｃ）に示す商品陳列用什器Ａは、クリップ３７を備えている。図示のクリップ３７は、第１支持脚１１の側面部１１Ｃに設けてあるが、筐体３や第２支持脚１２、若しくは天板２に設けることも可能である。このクリップ３７を備えた商品陳列用什器Ａは、クリップ３７により、図中仮想線で示すポスターやチラシ等の広告類５０を保持することができ、ＰＯＰ用品としての機能を高めることができる。
【００４６】
〈第８実施形態〉
図７（Ｄ）に示す商品陳列用什器Ａは、ポケット３８を備えている。図示のポケット３８は、第１支持脚１１の側面部１１Ｃに設けてあるが、筐体３や第２支持脚１２に設けることも可能であり、これらと同じ材料を用いて一体化することも可能である。このポケット３８を備えた商品陳列用什器Ａは、ポケット３８に、図中仮想線で示すチラシ等の広告類５０を自由に取り出せるように収容することができ、ＰＯＰ用品としての機能を高めることができる。
【００４７】
〈第９実施形態〉
図７（Ｅ）に示す商品陳列用什器Ａは、シート３９を備えている。図示のシート３９は、第１支持脚１１の側面部１１Ｃに設けてあるが、筐体３や第２支持脚１２、若しくは天板２に設けることも可能であり、例えば、薄い金属シート、プラスチックシート、又はマグネットシート等である。このシート３９は、金属シート（強磁性シート）やマグネットシートを用いれば、マグネット４０により、図中仮想線で示すポスターやチラシ等の広告類５０を保持することができ、広告類を取り付けた吸盤（図示せず）を吸着保持させておくこともできる。このシート３９を備えた商品陳列用什器Ａにあっても、ＰＯＰ用品としての機能を高めることができる。
【００４８】
なお、本発明に係わる商品陳列用什器は、その構成が上記各実施形態に限定されるものではなく、本発明の要旨を逸脱しない範囲で適宜変更することが可能であり、段ボール以外に、プラスチックや金属（主に軽金属）などの材料で各部品を作製することもでき、各部品に適宜の着色や装飾を施したり、各実施形態の構成を組み合わせたりすることができる。また、支持脚、天板及び筐体は、材料に段ボールを用いる場合には、単数若しくは複数の段ボールを折り合わせたり組み立てたりすることにより、適当な厚みや強度を確保することができ、しかも、材料にプラスチックや金属を用いた場合には、耐久性がより向上すると共に、清掃し易いなどの利点がある。
【００４９】
さらに、本発明に係わる商品陳列用什器は、店舗以外の場所で商品以外の物品を載置する場合にも当然使用可能であるが、上述した夫々の効果から明らかなように、様々な状況が想定される店舗での商品の陳列に非常に有用なものである。
【符号の説明】
【００５０】
Ａ  商品陳列用什器
１  支持脚
２  天板
３  筐体
３Ａ  筐体の天板
１１  第１支持脚
１２  第２支持脚
２１  第１天板
２２  第２天板
【図１】
2017000418.tif 000003
【図２】
2017000418.tif 000004
【図３】
2017000418.tif 000005
【図４】
2017000418.tif 000006
【図５】
2017000418.tif 000007
【図６】
2017000418.tif 000008
【図７】
2017000418.tif 000009